(57)【特許請求の範囲】
【請求項１】
前面を開口したショーケース本体と、ショーケース本体の幅方向両側面を覆う一対の側板と、ショーケース本体内の底面側、背面側及び上面側に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出するようにしたショーケースにおいて、
前記各側板を、ショーケース本体の側面に沿って形成された断熱部材と、断熱部材の外面を覆う外面板と、外面板に取付けられたガラス板と、ガラス板を支持するガラス枠と、外面板の前端部を覆う化粧部材とから構成し、
前記化粧部材を外面板の上部前端側及び下部前端側にそれぞれ対応する複数の部材と、これら上部前端側部材及び下部前端側部材とガラス枠の前端側との間をそれぞれ覆う複数のコーナー部材とから構成し、各部材をそれぞれ合成樹脂によって形成し、
前記各コーナー部材の後端面をガラス枠の上端側部材または下端側部材の端面形状と同等に形成するとともに、各コーナー部材の上下方向一端面をガラス枠の前端側部材の端面形状と同等に形成し、各コーナー部材の上下方向他端面を化粧部材の上部前端側部材または下部前端側部材の端面形状と同等に形成した
ことを特徴とするショーケース。
【請求項２】
前記各側板の断熱部材を発泡性の断熱材から成形した
ことを特徴とする請求項１記載のショーケース。
【請求項３】
前記ガラス枠をガラス板の上端側、下端側、前端側及び後端側にそれぞれ対応する複数の部材によって構成し、各部材をそれぞれ合成樹脂によって形成した
ことを特徴とする請求項１または２記載のショーケース。
【発明の詳細な説明】
【０００１】
【発明の属する技術分野】
本発明は、例えばコンビニエンスストア等の店舗に設置されるショーケースに関するものである。
【０００２】
【従来の技術】
従来、この種のショーケースとしては、例えば実開平７−３４１３号公報に記載されているように、前面を開口したショーケース本体と、ショーケース本体内に取付けられた上下複数段の商品棚と、ショーケース本体内の底面側、背面側及び上面側に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出することにより、ショーケース本体の前面開口部にエアカーテンを形成するようにしたものが知られている。
【０００３】
また、前記ショーケースでは、ショーケース本体内の上面、背面、底面及び前面の下端側がそれぞれ一体の断熱壁によって覆われ、幅方向両側面はそれぞれ側板を構成する一対の断熱壁によって覆われている。この場合、各側板には、互いに間隔をおいて対向する金属板の間に発泡性の断熱材を介在させたものが用いられる。
【０００４】
【発明が解決しようとする課題】
しかしながら、前記各側板を製造する場合には、対向一対の各金属板をスペーサによって互いに間隔をおいて保持した後、各金属板間に断熱材の原料を注入し発泡させる工程を必要とするため、製造工程が複雑化し、生産性の低下及びコストの増加を来すという問題点があった。また、廃棄処分になったショーケースを解体する場合、前述のようにして製造された各側板は材料ごとに分離することが困難であるため、リサイクル性等において不利であるという問題点もあった。
【０００５】
本発明は前記問題点に鑑みてなされたものであり、その目的とするところは、側板の構造の簡素化及び低コスト化を図ることができ、しかも解体の際に側板を材料ごとに容易に分離することのできるショーケースを提供することにある。
【０００６】
【課題を解決するための手段】
本発明は前記目的を達成するために、請求項１では、前面を開口したショーケース本体と、ショーケース本体の幅方向両側面を覆う一対の側板と、ショーケース本体内の底面側、背面側及び上面側に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出するようにしたショーケースにおいて、前記各側板を、ショーケース本体の側面に沿って形成された断熱部材と、断熱部材の外面を覆う外面板と、外面板に取付けられたガラス板と、ガラス板を支持するガラス枠と、外面板の前端部を覆う化粧部材とから構成し、前記化粧部材を外面板の上部前端側及び下部前端側にそれぞれ対応する複数の部材と、これら上部前端側部材及び下部前端側部材とガラス枠の前端側との間をそれぞれ覆う複数のコーナー部材とから構成し、各部材をそれぞれ合成樹脂によって形成し、前記各コーナー部材の後端面をガラス枠の上端側部材または下端側部材の端面形状と同等に形成するとともに、各コーナー部材の上下方向一端面をガラス枠の前端側部材の端面形状と同等に形成し、各コーナー部材の上下方向他端面を化粧部材の上部前端側部材または下部前端側部材の端面形状と同等に形成している。これにより、各側板の断熱部材が他の部品と共に組立時に取付けられることから、従来のように断熱材の原料を注入し発泡させることによって各側板を形成する必要がなくなる。また、廃棄処分になったショーケースを解体する場合、各側板の断熱部材は他の部品と容易に分離することができる。
【０００７】
また、化粧部材の各部材を押出成型や一体成型によって成形することが可能となる。
【０００８】
また、各コーナー部材と他の部材との継ぎ目が目立たなくなる。
【０００９】
また、請求項２では、請求項１記載のショーケースにおいて、前記各側板の断熱部材を発泡性の断熱材から成形している。これにより、請求項１の作用に加え、各側板の断熱部材が発泡性の断熱材によって所定の形状に成形される。
【００１０】
また、請求項３では、請求項１または２記載のショーケースにおいて、前記ガラス枠をガラス板の上端側、下端側、前端側及び後端側にそれぞれ対応する複数の部材によって構成し、各部材をそれぞれ合成樹脂によって形成している。これにより、請求項１または２の作用に加え、ガラス枠の各部材を押出成型や一体成型によって成形することが可能となる。
【００１１】
【発明の実施の形態】
図１乃至図１３は本発明の一実施形態を示すもので、図１はショーケースの側面断面図、図２はその全体斜視図、図３はその部分斜視図、図４はガラス枠の断面図、図５は図３における化粧部材のＡ−Ａ線矢視断面図、図６乃至図１３はその分解斜視図である。
【００１２】
このショーケースは、前面を開口したショーケース本体１と、ショーケース本体１内に取付けられた上下複数段の商品棚２と、ショーケース本体１内の底面側、背面側及び上面側に沿って形成された通風路３と、背面側通風路３内に配置された冷却器４と、底面側通風路３内に配置された複数の送風機５とから構成されている。
【００１３】
ショーケース本体１は、ショーケース本体１の底面側、背面側及び上面側に沿って延びる左右一対の第１の補強部材１０と、ショーケース本体１の幅方向に延びる複数の第２の補強部材１１，１２と、ショーケース本体１の上面側を覆う第１の断熱部材１３と、ショーケース本体１の背面側を覆う第２の断熱部材１４と、ショーケース本体１の底面側を覆う第３の断熱部材１５と、ショーケース本体１の幅方向両側面を覆う一対の側板１６と、ショーケース本体１の上面を覆う天板１７と、ショーケース本体１の前面下端側を覆う前面板１８と、上面側通風路３の下方を覆う上面板１９と、背面側通風路３の前方を覆う背面板２０と、底面側通風路３の上方を覆う底板２１と、前面板１８の上方に取付けられた化粧部材２２とからなる。
【００１４】
各補強部材１０，１１，１２はそれぞれショーケース本体１のフレームをなすための十分な強度を有する鋼材からなり、第１の補強部材１０はショーケース本体１の側面に沿って略コ字状に形成され、各第２の補強部材１１，１２はショーケース本体１の幅方向に直線状に延びている。
【００１５】
各断熱部材１３，１４，１５はそれぞれ単一の材料からなり、例えば予め発泡硬化された断熱材によって所定形状に成形されている。この場合、第１の断熱部材１２は、上面側通風路３の前面、下面及び両側面を覆う下側部材１３ａと、上面側通風路３の上面を覆う上側部材１３ｂとからなる。第２の断熱部材１４は平面状に形成され、その外形はショーケース本体１の背面に沿って四角形に形成されている。第３の断熱部材１５は底面側通風路３の前面、背面、下面及び両側面を覆う箱状に形成され、その内側面には各送風機５を支持するための傾斜した段部１５ａが設けられている。
【００１６】
各側板１６は、ショーケース本体１の側面に沿って形成された断熱部材２５と、断熱部材２５の外面を覆う外面板２６と、外面板２６に取付けられたガラス板２７と、ガラス板２７を支持するガラス枠２８と、外面板２６の前端部を覆う化粧部材２９とから構成されている。断熱部材２５は、例えば発泡ウレタン板材からなり、ショーケース本体１の側面に沿って略コ字状に形成されている。外面板２６はその周端部の一部をショーケース本体１の内側に向かって屈曲した複数の屈曲片２６ａを有し、その下部前面側は上方が下方よりもやや前方に位置するように形成され、下部前面側の中央部分はは斜めに形成されている。即ち、断熱部材２５の一側面及び周端面は外面板２６の側面及び各屈曲片２６ａによって覆われ、断熱部材２５の他側面の上部及び下部は上側内面板２６ｂ及び下側内面板２６ｃによってそれぞれ覆われる。また、外面板２６の下部前面側は、下部前面側の傾斜部分及びその下方に沿って屈曲した屈曲板２６ｄによって覆われる。ガラス板２７は四角形状に形成され、図では省略しているが積層ガラスからなる。ガラス枠２８はガラス板２７の上下端側、前端側及び後端側にそれぞれ対応する複数の部材２８ａ，２８ｂ，２８ｃからなり、これら各部材２８ａ〜２８ｃはそれぞれ合成樹脂によって形成されている。この場合、各上下端側部材２８ａ及び後端側部材２８ｃは、図４（ａ）  に示すように一方の面側にガラス板２７の端部を受容する溝２８ｄを有し、他方の面側は外面板２６の端部に嵌合するように断面コ字状に形成されている。また、前端側部材２８ｂは、図４（ｂ）  に示すように一方の面側にガラス板２７の端部を受容する溝２８ｅを有し、他方の面側は外側にやや湾曲して形成されている。化粧部材２９は外面板２６の上部前端側及び下部前端側にそれぞれ対応する計２つの部材２９ａ，２９ｂと、上部前端側部材２９ａ及び下部前端側部材２９ｂとガラス枠２８の前端側との間をそれぞれ覆う計２つのコーナー部材２９ｃとからなり、これら各部材２９ａ〜２９ｃはそれぞれ合成樹脂によって形成されている。この場合、各部材２９ａ〜２９ｃは、図５に示すように前面側を外側にやや湾曲して形成されている。また、各部材２９ａ〜２９ｃの背面側は外面板２６の端部に嵌合するように断面コ字状に形成され、その内側の両側面には互いに対向する一対の突起２９ｄが設けられている。更に、各コーナー部材２９ｃの後端面２９ｅはガラス枠２８の上下端側部材２８ａの端面形状と同等に形成されるとともに、その上下方向一端面２９ｆはガラス枠２８の前端側部材２８ｃの端面形状と同等に形成され、その上下方向他端面２９ｇは化粧部材２９の前端側部材２９ａ，２９ｂの端面形状と同等に形成されている（図１１参照）。
【００１７】
天板１７、前面板１８、上面板１９、背面板２０及び底板２１は金属板からなり、それぞれ所定形状に形成されている。天板１７は前端を下方に屈曲し、その前端には光透過性の合成樹脂からなるシェード１７ａが取付けられている。この場合、シェード１７ａ内には蛍光灯２３が取付けられる。前面板１８は上端側が下端側よりもやや前方に位置するように形成され、上端側と下端側との間は斜めに形成されている。上面板１９は前端を下方に屈曲し、その両側端はそれぞれ上方に屈曲している。この場合、上面板１９の前端側下方には蛍光灯２４が取付けられる。また、背面板２０は下端を前方に屈曲し、底板２１は両側端をそれぞれ下方に屈曲している。化粧部材２２は所定の彩色を施した合成樹脂からなり、前面板１８の上端部を覆うように形成されている。
【００１８】
各商品棚２は後端側をショーケース本体１側の棚柱２ａによって支持され、前端側にはプライスカード等を保持するカード保持部２ｂが設けられている。
【００１９】
通風路３は一端にショーケース本体１の前面開口部上端に位置する空気吐出口３ａを有し、その他端にはショーケース本体１の前面開口部下端に位置する空気吸入口３ｂが設けられている。この場合、通風路３の空気吐出口３ａには、例えばハニカム状の通気構造を有する整流部材３ｃが取付けられ、通風路３の空気吸入口３ｂには多数の通気孔を有する吸気口グリル３ｄが取付けられている。
【００２０】
冷却器４は冷媒流通用のチューブ（図示せず）及び多数のフィンからなり、その両側面にはショーケース本体１側に固定するための支持板４ａが取付けられている。
【００２１】
各送風機５は互いに幅方向に間隔をおいて配置され、それぞれ共通のファンダクト５ａに取付けられている。
【００２２】
以上のように構成されたショーケースにおいては、図１に示すように前面開口部下端の空気吸入口３ｂから通風路３内に吸入された空気が冷却器４によって冷却され、前面開口部上端の空気吐出口３ａから吐出する。これにより、ショーケース本体１の前面開口部にエアカーテンが形成され、ショーケース本体１内が冷却される。
【００２３】
次に、図６乃至図１３を参照し、ショーケース本体１の組立構造について説明する。まず、図６に示すように各第１の補強部材１０を互いに左右方向に間隔をおいて配置するとともに、各第１の補強部材１０の背面側を一方の第２の補強部材１１によって連結し、各第１の補強部材１０の底面側を他方の第２の補強部材１２によって連結する。その際、各第１の補強部材１０には棚柱２ａがそれぞれ取付けられる。次に、図７に示すように冷却器４を各支持板４ａを介して各第１の補強部材１０間に取付るとともに、各第１の補強部材１０の上部に第１の断熱部材１３、天板１７及び上面板１９を取付け、各第１の補強部材１０の後部に第２の断熱部材１４を取付ける。続いて、図８に示すように各第１の補強部材１０の下部に第３の断熱部材１５を取付け、各第１の補強部材１０の側方に各側板１６をそれぞれ取付ける。
【００２４】
ここで、各側板１６の組立構造について説明する。即ち、各側板１６は、図９に示すように外面板２６に断熱部材２５、各内面板２６ｂ，２６ｃ及び屈曲板２６ｄを組付けた後、ガラス枠２８の上端側部材２８ａ、下端側部材２８ｂ及び後端側部材２８ｄを取付け、化粧部材２９の上部前端側部材２９ａ及び下部前端側部材２９ｂを取付ける。次に、図１０に示すようにガラス板２７を外面板２６の前方からガラス枠２８の上端側、下端側及び後端側部材２８ａ，２８ｂ，２８ｄの各溝２８ｅに挿入し、ガラス枠２８の前端にガラス枠２８の前端側部材２８ｃを取付け、外面板２６の上部及び下部にそれぞれ化粧部材２９のコーナー部材２９ｃ，２９ｄを取付ける。また、化粧部材２９を取付ける際、図１１に示すように外面板２６及び各内面板２６ｂ，２６ｃの前端側に設けられ上下方向に延びる一対の溝２６ｅ（外面板２６の前端側下部のみ図示）に化粧部材２９の各部材２９ａ〜２９ｃの突起２９ｄを嵌合することにより、各部材２９ａ〜２９ｃが固定される。
【００２５】
次に、図１２に示すように各第１の補強部材１０の下部前端側に前面板１８を取付けるとともに、第３の断熱部材１５内にファンダクト５ａに取付けられた各送風機５を収容する。この場合、ファンダクト５ａは両側端を第３の断熱部材１５内の各段部１５ａに固定され、各段部１５ａに沿って傾斜状態に支持される。また、上面板１９の前端には整流部材３ｃが取付けられる。続いて、図１３に示すように背面板２０を各第１の補強部材１０に第２の断熱部材１４に対向するように取付けるとともに、各第１の補強部材１０の前端側に化粧部材２２及び吸気グリル３ｄを取付け、第３の断熱部材１５の上方に底板２１を載置する。以上でショーケース本体１の組立てが完了し、ショーケース本体１内の各棚柱２ａには各商品棚２が取付けられる。
【００２６】
このように、本実施形態のショーケースによれば、各側板１６の断熱部材２５を組立時に他の部品と共に取付けることができるので、従来のように断熱材の原料を注入し発泡させることによって各側板１６を形成する必要がなくなり、構造の簡素化及び低コスト化を図ることができる。また、廃棄処分になったショーケースを解体する場合、各側板１６の断熱部材２５を他の部品と容易に分離することができるので、リサイクル性等においても極めて有利である。更に、断熱部材２５を発泡性の断熱材によって形成したので、断熱部材２５を所定形状に容易に成形することができ、実用化に際して極めて有利である。また、各側板１６のガラス枠２８及び化粧部材２９をそれぞれ複数の部材から構成し、各部材をそれぞれ合成樹脂によって形成したので、ガラス枠２８及び化粧部材２９の各部材を押出成型や一体成型によって成形することが可能となり、ガラス枠２８及び化粧部材２９の加工が容易になるとともに、材料コストの低減を図ることもできる。この場合、化粧部材２９の各コーナー部材２９ｃの各端面２９ｅ，２９ｆ，２９ｇをガラス枠２８の上下端側部材２８ａ、ガラス枠２８の前端側部材２８ｂ及び化粧部材２９の前端側部材２９ａ，２９ｂの端面形状と同等に形成したので、各コーナー部材２９ｃと他の部材との継ぎ目を目立たないようにすることができ、見栄えの向上を図ることができる。
【００２７】
【発明の効果】
以上説明したように、請求項１のショーケースによれば、断熱材の原料を注入し発泡させることによってショーケース本体の各側板を形成する必要がないので、構造の簡素化及び低コスト化を図ることができ、生産性を大幅に向上させることができる。また、廃棄処分になったショーケースを解体する場合、各側板の断熱部材を他の部品と容易に分離することができるので、リサイクル性等においても極めて有利である。
【００２８】
また、化粧部材の各部材を押出成型や一体成型によって成形することができるので、化粧部材の加工が容易になるとともに、材料コストの低減を図ることもできる。
【００２９】
また、化粧部材の各コーナー部材と他の部材との継ぎ目を目立たないようにすることができるので、見栄えの向上を図ることができる。
【００３０】
また、請求項２のショーケースによれば、請求項１の効果に加え、各側板の断熱部材を所定形状に容易に成形することができるので、実用化に際して極めて有利である。
【００３１】
また、請求項３のショーケースによれば、請求項１または２の効果に加え、ガラスの各部材を押出成型や一体成型によって成形することができるので、ガラス枠の加工が容易になるとともに、材料コストの低減を図ることもできる。
【図面の簡単な説明】
【図１】本発明の一実施形態を示すショーケースの側面断面図
【図２】ショーケースの全体斜視図
【図３】ショーケースの部分斜視図
【図４】ガラス枠の断面図
【図５】図３における化粧部材のＡ−Ａ線矢視断面図
【図６】ショーケースの分解斜視図
【図７】ショーケースの分解斜視図
【図８】ショーケースの分解斜視図
【図９】ショーケースの分解斜視図
【図１０】ショーケースの分解斜視図
【図１１】ショーケースの分解斜視図
【図１２】ショーケースの分解斜視図
【図１３】ショーケースの分解斜視図
【符号の説明】
１…ショーケース本体、３…通風路、４…冷却器、５…送風機、１６…側板、２５…断熱部材、２６…外面板、２７…ガラス板、２８…ガラス枠、２９…化粧部材。
【図１】
0003540198.tif 000002
【図２】
0003540198.tif 000003
【図３】
0003540198.tif 000004
【図４】
0003540198.tif 000005
【図５】
0003540198.tif 000006
【図６】
0003540198.tif 000007
【図７】
0003540198.tif 000008
【図８】
0003540198.tif 000009
【図９】
0003540198.tif 000010
【図１０】
0003540198.tif 000011
【図１１】
0003540198.tif 000012
【図１２】
0003540198.tif 000013
【図１３】
0003540198.tif 000014